(57)【特許請求の範囲】
【請求項１】
軸心が相違するように略平行関係にある第一配管と第二配管とが、連絡管を介してオフセット配管されてなるオフセット配管構造であって、
前記第一配管の口部と前記連絡管の一端とが接続されると共に、前記第二配管の口部と前記連絡管の他端とが管継手を介して接続されており、
前記管継手は、
３０〜６０度の屈曲角を有する継手本体部と、
前記継手本体部の一開口端に回転可能に連結された接続アダプタと、
を具備してなり、
前記接続アダプタが前記第二配管の口部に接続された状態、且つ、前記継手本体部の他開口端から前記第一配管の口部までの直線距離が最小となる状態にて位置決めされてなり、
前記第一配管の口部に一端が接続されると共に、位置決めされた前記管継手の他開口端に他端が接続された前記連絡管の管路には、最小許容曲げ半径以上の曲げ半径によって湾曲された曲げ部が一箇所付与されてなることを特徴とするオフセット配管構造。
【請求項２】
請求項１に記載のオフセット配管構造において、
前記第一配管の口部と前記第二配管の口部とを結ぶ直線と、前記第一配管の延長線とがなすオフセット角が１０〜６０度であるオフセット配管構造。
【請求項３】
請求項１又は２に記載のオフセット配管構造において、
前記第一配管の延長線と、前記第二配管の延長線との間隔が、３００ｍｍ以下であるオフセット配管構造。
【請求項４】
請求項１ないし３のいずれか１項に記載のオフセット配管構造において、
前記管継手は、継手本体部における他開口端側の部位が伸縮可能となされた伸縮継手構造を有してなるオフセット配管構造。
【請求項５】
請求項１ないし４のいずれか１項に記載のオフセット配管構造において、
前記第一配管は、メーターボックス内に立設された共用管の中ほどから水平方向に分枝された枝管に接続されると共に、二次側の口部に向けて略鉛直下方向に開口するように固定されたエルボ継手の垂下部分であり、
前記第二配管は、メーターボックス内の底部側寄りに配されたメーターに連通されると共に一次側の口部が略鉛直上方向に開口するように屈曲された立ち上げ管の立ち上がり部分であるオフセット配管構造。
【発明の詳細な説明】
【技術分野】
【０００１】
本発明は、平行関係にある第一配管と第二配管とが、連絡管を介してオフセット配管されてなるオフセット配管構造、に関する。
【背景技術】
【０００２】
一般的な集合住宅においては、住戸の入口付近の壁面などに、電力量計や水道メーター、ガスメーターなどの計器類及びそれらに接続された配管を一箇所にまとめて収納するためのメーターボックスと呼ばれる空間が設けられている。このようなメーターボックス内の配管構造の一例を図５に示す。
【０００３】
図５に示すメーターボックスＭＢには各住戸に共通する電気配線用の共用管ＥＰ、ガスの共用管ＧＰ、及び水道の共用管ＷＰがそれぞれ立設されている。そして、各共用管ＥＰ、ＧＰ、ＷＰから分岐されたメーター廻り配管ＧＰＢ、ＷＰＢ（電気配線用については図示せず）がそれぞれ、電力量計ＥＭ、ガスメーターＧＭ、水道メーターＷＭを介してそれぞれの住戸内用配管端末（図示せず）に接続されている。
【０００４】
従来、このようなメーターボックス内における配管作業、例えば、水道用のメーター廻り配管の配管作業は、現場でサイズを図りながら必要な寸法に管材を整え、この管材にネジ切りを施した後、ゲートバルブ、チャッキバルブ、メーター等に接続し、配管することによってなされていた。
【０００５】
ところが、複数の配管が錯綜するメーターボックス内の配管構造は、他の配管との関係で管路が規制されるため、必然的にオフセット配管となされた部分が多くなる。従来、このようなオフセット配管を構築するにあたっては、曲折部ごとにエルボ継手を介在させる接続手段を用いることが一般的であった。
【０００６】
しかしながら、曲折部ごとにエルボ継手を介在させる接続手段は、曲折部ごとにネジ切り作業や接続作業を行う必要があることから、メーターボックス内における配管作業を極めて能率の悪いものとしていた。
【０００７】
この問題に鑑み、メーター廻り配管について、所定の位置に蛇腹部が位置するようにそれぞれの長さを整えた複数の蛇腹付き管材によりジョイント部品やその他の必要な各種部品を所定の順序で接続してなる配管ユニットを予め形成し、この配管ユニットを蛇腹部に必要な曲げを与えつつ共用管と住戸内用配管端末との間に接続するようにしたことを特徴とするメーターボックス内の配管方法が開発されている（例えば、下記特許文献１参照。）。
【０００８】
又、最近では、図６に示すように、平行関係にある二本の配管Ｐ１、Ｐ２を、Ｓ字状に生曲げされた可撓性を有する連絡管３で連結することによってオフセット配管構造１００を構築する配管方法も実施されている。
【先行技術文献】
【特許文献】
【０００９】
【特許文献１】特開平６‐８８３６１号公報
【発明の概要】
【発明が解決しようとする課題】
【００１０】
しかしながら、蛇腹付きの管材は、蛇腹形状の内面による圧力損失が大きいことから、水道用のメーター廻り配管に適用することは必ずしも好ましいものではなかった。
【００１１】
一方、図６に示すオフセット配管構造１００を構築するにあたっては、可撓性を有する連絡管３の管路中に二箇所、それぞれ微妙な角度の曲げ部Ｂ１、Ｂ２を付与することによって、前記連絡管３をＳ字状に湾曲させる必要がある。ところが、ガス管や水道管として現実的に使用し得る可撓性を有する管材としては、架橋ポリエチレン管やポリブテン管などの可撓樹脂管や、アルミ管の内外層にポリエチレンや架橋ポリエチレンが積層されてなる金属強化可撓樹脂管、或いは、銅管等の軟質金属管等を挙げることができるが、これらの管材は、可撓性を有するとはいえ、いずれも生曲げによって曲げ得る最小曲げ半径が大きく、しかも、曲げに対する反発性も強いことから、メーターボックス内の狭小なスペースにおいて、Ｓ字状の微妙な曲がりを付与して位置調整を実行することは非常に困難であった。
【００１２】
本発明は、前記技術的課題を解決するために開発されたものであり、簡単な作業にて容易に構築することができる新規なオフセット配管構造を提供することを目的とする。
【課題を解決するための手段】
【００１３】
本発明は、軸心が相違するように略平行関係にある第一配管と第二配管とが、連絡管を介してオフセット配管されてなるオフセット配管構造であって、前記第一配管の口部と前記連絡管の一端とが接続されると共に、前記第二配管の口部と前記連絡管の他端とが管継手を介して接続されており、前記管継手は、３０〜６０度の屈曲角を有する継手本体部と、前記継手本体部の一開口端に回転可能に連結された接続アダプタと、を具備してなり、前記接続アダプタが前記第二配管の口部に接続された状態、且つ、前記継手本体部の他開口端から前記第一配管の口部までの直線距離が最小となる状態にて位置決めされてなり、前記第一配管の口部に一端が接続されると共に、位置決めされた前記管継手の他開口端に他端が接続された前記連絡管の管路には、最小許容曲げ半径以上の曲げ半径によって湾曲された曲げ部が一箇所付与されてなることを特徴とする（以下、本発明構造と称する。）。
【００１４】
なお、「略平行関係」とは、前記第一配管と前記第二配管とが厳密な平行関係にある場合に限られないことを意味する。例えば、第一配管に対し、第二配管が僅かな傾き（±５度程度の傾き）を有していたとしても、「略平行関係」の範疇に含まれる。
【００１５】
本発明構造においては、前記第一配管の口部と前記第二配管の口部とを結ぶ直線と、前記第一配管の延長線とがなすオフセット角が１０〜６０度であるものが好ましい態様となる。
【００１６】
本発明構造においては、前記第一配管の延長線と、前記第二配管の延長線との間隔が、３００ｍｍ以下であるものが好ましい態様となる。
【００１７】
本発明構造においては、前記管継手は、継手本体部における他開口端側の部位が伸縮可能となされた伸縮継手構造を有してなるものが好ましい態様となる。
【００１８】
本発明構造においては、前記第一配管は、メーターボックス内に立設された共用管の中ほどから水平方向に分枝された枝管に接続されると共に、二次側の口部に向けて略鉛直下方向に開口するように固定されたエルボ継手の垂下部分であり、前記第二配管は、メーターボックス内の底部側寄りに配されたメーターに連通されると共に一次側の口部が略鉛直上方向に開口するように屈曲された立ち上げ管の立ち上がり部分であるものが好ましい態様となる。
【００１９】
なお、「略鉛直下方向」及び「略鉛直上方向」とは、前記第一配管や前記第二配管が厳密な鉛直線上に沿っている場合に限られないことを意味する。例えば、第一配管や第二配管が、鉛直線に対し僅かな傾き（±５度程度の傾き）を有していたとしても、「略鉛直下方向」及び「略鉛直上方向」の範疇に含まれる。
【発明の効果】
【００２０】
本発明によれば、非常に簡単な作業にてオフセット配管構造を構築することができる。
【図面の簡単な説明】
【００２１】
【図１】図１は、実施形態１に係る本発明構造を示す正面図である。
【図２】図２（ａ）〜（ｅ）は、実施形態１に係る本発明構造を構築する工程を示す正面図である。
【図３】図３（ａ）〜（ｅ）は、実施形態２に係る本発明構造を構築する工程を示す正面図である。
【図４】図４（ａ）〜（ｅ）は、実施形態３に係る本発明構造を構築する工程を示す正面図である。
【図５】図５は、メーターボックス内部の配管構造を例示する正面図である。
【図６】図６は、従来のオフセット配管構造を示す正面図である。
【発明を実施するための形態】
【００２２】
以下、本発明装置の実施形態について説明する。なお、本発明は、この実施形態に限定されるものではない。
【００２３】
＜実施形態１＞
図１に、平行関係にある第一配管部Ｐ１と第二配管部Ｐ２とが、連絡管３を介してオフセット配管されてなる本発明構造の一実施形態を示す。
【００２４】
図１に示す本発明構造１は、メーターボックス内の水道用のメーター廻り配管として構築されたものであり、メーターボックス（図示省略）内に立設された水道の共用管１０の中ほどから水平方向に分枝された枝管１１に接続されたエルボ継手２に、連絡管３の一端が接続されると共に、前記連絡管３の他端と、メーターボックス内の底部近辺に配設された水道用メーター２０に連通された立ち上げ管４とが、管継手５を介して接続された構造を有する。
【００２５】
この本発明構造１を構築するにあたっては、図２（ａ）に示すように、まず、前記枝管１１にエルボ継手２を接続すると共に、前記立ち上げ管４に前記管継手５を接続する。
【００２６】
前記エルボ継手２は、中ほどが９０度に屈曲されたエルボ継手本体部２１と、前記エルボ継手本体部２１に回転可能に連結されて一次側の口部をなすユニオン接続式の接続アダプタ（以下、一次側アダプタ２２と称する。）と、前記エルボ継手本体部２１の二次側の口部をなす差込式（メタッチ式）の接続アダプタ（以下、二次側アダプタ２３と称する。）との三点を具備する市販の継手ないしは市販の継手の組み合わせ（例：積水化学工業株式会社製、商品名：エスロンメタッチメスねじエルボ＋ＡＷ媒介継手）である。
【００２７】
このエルボ継手２は、前記一次側アダプタ２２が前記枝管１１に螺合され、完全に締結されることによって前記枝管１１に固定されるものである。但し、ユニオン接続式の前記一次側アダプタ２２の作用によって、前記枝管１１に完全に締結されるまで（即ち、仮止めの間）、前記エルボ継手本体部２１は、前記一次側アダプタ２２に対して脱着および回転可能な状態を維持する。
【００２８】
そして、このエルボ継手２は、前記枝管１１に対して前記一次側アダプタ２２が仮止めされている間に、前記二次側アダプタ２３側の口部が鉛直下方向に向けられ、この状態にて完全に締結される。従って、このエルボ継手２におけるエルボ継手本体部２１の屈曲部から前記二次側アダプタ２３側の口部までの部分（第一配管部Ｐ１）は、鉛直下方向に向かって垂下する状態を基本位置とする。
【００２９】
一方、前記水道用メーター２０に連通された立ち上げ管４の立ち上がり部分（第二配管部Ｐ２）は、鉛直上方向に向かって屹立していることから、前記第一配管部Ｐ１と前記第二配管部Ｐ２とは互いに軸心が相違する平行関係となる。即ち、前記第一配管部Ｐ１は、特許請求の範囲における「第一配管」に相当し、前記第二配管部Ｐ２は、特許請求の範囲における「第二配管」に相当する。
【００３０】
前記立ち上げ管４に接続される前記管継手５は、３０〜６０度の屈曲角を有する継手本体部５１と、前記継手本体部５１の一開口端に回転可能に連結された回転ニップル式の接続アダプタ（以下、二次側アダプタ５２と称する。）と、を具備してなり、前記継手本体部５１の他開口端には、差込式（メタッチ式）の接続アダプタ（以下、一次側アダプタ５３と称する。）が設けられている。
【００３１】
この管継手５は、前記二次側アダプタ５２を前記立ち上げ管４の一次側の口部に螺合することによって、前記立ち上げ管４に接続されるものであるが、前記二次側アダプタ５２が前記立ち上げ管４に完全に締結された後も、回転ニップル式の前記二次側アダプタ５２の作用によって、前記継手本体部５１は、前記二次側アダプタ５２に対して回転可能な状態を維持する。
【００３２】
図２（ａ）に示すように、前記管継手５は、前記立ち上げ管４に接続された後、前記継手本体部５１が回転させられることによって、前記継手本体部５１の他開口端（一次側アダプタ５３の口部）から、前記第一配管部Ｐ１の口部（前記エルボ継手２における二次側アダプタ２３の口部）までの直線距離Ｌが最小となる状態にて位置決めされる。
【００３３】
前記エルボ継手２及び前記管継手５の位置決めを終えた後、図２（ｂ）に示すように、前記連絡管３の長さ調整を行う。本実施形態においては、前記連絡管３として、アルミ管の内外層に架橋ポリエチレンが積層されてなる可撓性を有する金属強化可撓樹脂管（積水化学工業株式会社製、商品名：スーパーエスロメタックス（呼び径：２０ｍｍ、最少許容曲げ半径：１００ｍｍ））を用いた。
【００３４】
前記連絡管３の長さ調整は、まず、十分な長さの管（前記連絡管３となる管）３０を用意し、その略中央部に、継手の屈曲角度と角度９０゜の差に相当する曲げ形状を作成しつつ、仮当てして角度の微調整を行った後、前記管３０の一端又は他端を必要に応じて切断することによって行う。
【００３５】
ここで、前記第一配管部Ｐ１の口部と前記連絡管３の一端との接続は、前記エルボ継手２における差込式の前記二次側アダプタ２３を介して行われ、又、前記管継手５と前記連絡管３の他端との接続は、前記管継手５における差込式の前記一次側アダプタ５３を介して行われることから、前記連絡管３の長さ調整を行うにあたっては、前記管３０に曲げ応力を加えつつ生曲げしながら、各アダプタ２３、５３への差し込み代を勘案した上で、前記連絡管３を切断する。なお、「生曲げ」とは、曲げ応力のみで前記管３０に曲げ形状を付与する作業を意味し、一般に「焼き曲げ」と称される加熱しながら曲げ形状を付与する作業とは異なる。
【００３６】
前記連絡管３の長さ調整を終えた後、図２（ｃ）に示すように、前記管継手５の前記一次側アダプタ５３に、前記連絡管３の他端を差し込み挿入することによって、前記管継手５に前記連絡管３を接続する。
【００３７】
この際、前記管継手５における前記継手本体部５１は、前記二次側アダプタ５２に対して回転させることができることから、前記管継手５の前記一次側アダプタ５３に前記連絡管３の他端を差し込み挿入する作業中、前記管継手５における前記一次側アダプタ５３の開口方向は適宜変更することができる。これより、前記作業中、前記管継手５における前記一次側アダプタ５３の開口方向を最も作業しやすい方向に向けることができるため、作業性が向上する。
【００３８】
前記管継手５と前記連絡管３との接続を終えた後、前記連絡管３の一端が前記エルボ継手２に接続される。
【００３９】
前記連絡管３と前記エルボ継手２とを接続するにあたっては、図２（ｄ）に示すように、前記枝管１１から前記エルボ継手２を一旦取り外し、取り外した前記エルボ継手２の二次側アダプタ２３の口部に前記連絡管３の一端を差し込み挿入することによって行うことができる。これより、前記連絡管３と前記エルボ継手２との接続作業は、非常に容易に行うことができる。
【００４０】
最後に、本実施形態においては、図２（ｅ）に示すように、前記エルボ継手２を前記枝管１１に再度接続する。
【００４１】
この際、前記エルボ継手２は、前記枝管１１に対して前記ユニオン式の一次側アダプタ２２が仮止めされている間に、前記差込式の二次側アダプタ２３の口部が鉛直下方向に向けられ、この状態にて締結される。
【００４２】
一方、前記管継手５は、前記二次側アダプタ５２に対し、前記継手本体部５１が回転させられることによって、再度、前記継手本体部５１の他開口端から前記第一配管部Ｐ１の口部までの直線距離Ｌが最小となる状態にて位置決めされる。
【００４３】
これにより、前記連絡管３の管路の途中に、生曲げによって湾曲された曲げ部Ｂが一箇所付与されてなる本発明構造１が構築される(図１参照)。
【００４４】
この本発明構造１は、生曲げによって、前記連絡管３の管路の途中に湾曲された曲げ部Ｂを一箇所設けるだけで構築されるものであることから、配管作業に要する労力が非常に小さくて済む利点を有する。
【００４５】
また、本発明構造１においては、十分な長さの管（前記連絡管３となる管（金属強化可撓樹脂管））３０を用意し、その略中央部に、継手の屈曲角度と角度９０゜の差に相当する曲げ形状を作成しつつ、仮当てして角度の微調整を行った後、前記管３０の一端又は他端を必要に応じて切断することによって前記連絡管３の長さ調整を行っているから、管継手５に接続の後、微妙な角度調整は不要である。なお、前記連絡管３として、金属強化されていない可撓樹脂管（例えば、ポリエチレン管）を用いる場合にあっては、適当な長さに切断した前記連絡管３の一端を第一配管部Ｐ１に接続すると共に、その他端を管継手５に接続するだけで、前記連絡管３に適当な曲げ角が付与されるため、曲げ部Ｂの微妙な角度調整は不要となる。
【００４６】
更に、前記管継手５として、３０〜６０度の屈曲角を有する継手本体部５１と、前記継手本体部５１の一開口端に回転可能に連結された二次側アダプタ５２と、を具備してなるものを用いているから、配管作業中、必要に応じて、前記二次側アダプタ５２に対して、継手本体部５１を回転（首振り）させることができ、もって、配管作業中の作業性が非常に向上するといった利点を有する。
【００４７】
なお、本実施形態においては、前記二次側アダプタ５２として、回転ニップル式の接続アダプタを用いているが、例えば、前記二次側アダプタ５２として、ユニオン接続式の接続アダプタを用いることもできる。
【００４８】
ここで、前記二次側アダプタ５２として、ユニオン接続式の接続アダプタを用いた場合にあっては、前記二次側アダプタ５２が前記立ち上げ管４に完全に締結されると、前記継手本体部５１は、前記二次側アダプタ５２に対して回転することができなくなる。従って、本発明構造１の構築中、前記継手本体部５１を前記二次側アダプタ５２に対して回転させる必要がある場合には、前記二次側アダプタ５２を前記立ち上げ管４に対し、完全に締結せずに仮止めの状態とすればよい。
【００４９】
なお、本発明構造１において、前記第一配管部Ｐ１の口部と前記第二配管部Ｐ２の口部とを結ぶ直線と、前記第一配管部Ｐ１の延長線とがなすオフセット角α（図１参照）は、１０〜６０度の範囲（好ましくは、２５〜４５度の範囲）にあることが好ましい。前記オフセット角αは、メーターボックス内などの狭小な空間において配管される配管構造において、オフセット配管が必要とされる際の一般的なオフセット角を基準として決定されたものである。
【００５０】
ここで、本発明構造１において、前記管継手５における継手本体部５１の屈曲角βの選択は、前記オフセット角αを基準にして、決定することが好ましい。
【００５１】
より具体的には、前記管継手５として、前記継手本体部５１の屈曲角βが、前記オフセット角αより、５〜１５度大きい角度となされたものを選択することが好ましい。
【００５２】
前記オフセット角αと、前記管継手５における前記継手本体部５１の屈曲角βとが、このような関係になされると、前記連絡管３に（９０−β）度の、緩やかに湾曲する曲げ部Ｂを付与することができ、又、本発明構造１の構築をより容易にすることができる。
【００５３】
なお、本発明構造１を構築するにあたっては、前記オフセット角αに応じて最も望ましい屈曲角βを有する前記管継手５を用意することが望ましいが、現実的には、様々な屈曲角βを有する前記管継手５を数種用意し、用意された前記管継手５の中から最も施工に適した前記管継手５を選択することになる。
【００５４】
又、本発明構造１は、前記第一配管部Ｐ１の延長線と、前記第二配管部Ｐ２の延長線との間隔（平行間隔）Ｗが、３００ｍｍ以下である場合に適用することが好ましい。
【００５５】
即ち、前記間隔Ｗは、メーターボックス内などの狭小な空間において配管される配管構造において、オフセット配管が必要とされる配管同士の一般的な間隔を基準として設定されたものであるが、３００ｍｍを超える場合には、本発明構造１を構築するまでもなくオフセット配管が容易となる場合が多いため、本発明構造１は、前記間隔Ｗが３００ｍｍ以下（特に好ましくは、７０〜２００ｍｍ）である場合に適用することが好ましい。
【００５６】
更に、本発明構造１は、前記連絡管３として、その最小許容曲げ半径が１００ｍｍ以上であるものを用い、且つ、生曲げによって湾曲された曲げ部Ｂの曲げ半径が１００ｍｍ以上となされたものが好ましい態様となる。
【００５７】
即ち、前記連絡管３として、その最小許容曲げ半径が１００ｍｍ未満のもの（例えば、最小許容曲げ半径が「５０ｍｍ」の製品（呼び径１６））を用いると、本発明構造１を構築するまでもなくオフセット配管が容易となる場合が多いため、本発明構造１は、前記連絡管３として、その最小許容曲げ半径が１００ｍｍ以上であるものを用いる場合に適用することが好ましい。
【００５８】
＜実施形態２＞
図３に、実施形態２に係る本発明構造１を構築する工程を示す。
【００５９】
本実施形態は、前述の実施形態１とは異なる工程によって、本発明構造１を構築するものである。
【００６０】
なお、前記実施形態１においては、前記管継手５として、回転ニップル式の前記二次側アダプタ５２が前記継手本体部５１に回転可能に連結されたものを用いたが、本実施形態においては、ユニオン接続式の二次側アダプタ５４が継手本体部５１に回転可能に連結されてなる管継手５を用いている。その余の部材は、前記実施形態１において用いたものと同様である。
【００６１】
本実施形態においては、まず、前記管継手５及び前記エルボ継手２の位置決めを行い（図３（ａ）参照）、その後、前記連絡管３の長さ調整を行う（図３（ｂ）参照）。即ち、ここまでの手順は、前記実施形態１と同様にして行う。
【００６２】
次に、枝管１１に対する前記エルボ継手２の締結を緩めて仮止め状態とした後、前記連絡管３の一端を、前記エルボ継手２の口部に差し込み挿入することによって、前記連絡管３を前記エルボ継手２に接続する（図３（ｃ）参照）。
【００６３】
この際、前記エルボ継手２は、エルボ継手本体部２１を一次側アダプタ２２に対して回転させることができることから、前記エルボ継手２の口部に前記連絡管３の一端を差し込み挿入する作業中、前記エルボ継手２の口部の開口方向を適宜変更することができる。
【００６４】
前記エルボ継手２と前記連絡管３との接続を終えた後、前記連絡管３の他端が前記管継手５に接続される。
【００６５】
前記連絡管３と前記管継手５とを接続するにあたっては、図３（ｄ）に示すように、立ち上げ管４から前記管継手５を一旦取り外し、取り外した前記管継手５の一次側アダプタ５３に前記連絡管３の他端を差し込み挿入することによって行うことができることから、係る作業は非常に容易に行うことができる。
【００６６】
最後に、図３（ｅ）に示すように、前記管継手５を前記立ち上げ管４に再度接続する。
【００６７】
この際、前記管継手５は、前記立ち上げ管４に仮止めさせた状態にて、前記継手本体部５１を回転させ、前記継手本体部５１の他開口端から前記第一配管部Ｐ１の口部までの直線距離（Ｌ）が最小となる状態にて位置決めされる。
【００６８】
一方、前記エルボ継手２は、前記枝管１１に対して仮止めされている間に、口部が鉛直下方向に向けられ、この状態にて完全に締結されて、固定される。
【００６９】
これにより、前記連絡管３の管路の途中に、生曲げによって湾曲された曲げ部Ｂが一箇所付与されてなる本発明構造１が構築される。
【００７０】
ここで、前記実施形態１に係る本発明構造１は、前記連絡管３と前記管継手５とを接続する工程を先に行い、次いで、前記連絡管３と前記エルボ継手２とを接続する工程を行っているが、本実施形態においては、前記連絡管３と前記エルボ継手２とを接続する工程を先に行い、次いで、前記連絡管３と前記エルボ継手２とを接続する工程を行っている。
【００７１】
即ち、本発明構造１は、前記実施形態１による工程を経て構築することも、前記実施形態２による工程を経て構築することもできるのであり、作業手順を作業者が適宜決定して行うことができることから、例えば、配管が錯綜するメーターボックス内などにおいて、作業手順が制限される場合にあっても、作業性が確保される。
【００７２】
＜実施形態３＞
図４に、実施形態３に係る本発明構造１を構築する工程を示す。
【００７３】
なお、本実施形態においては、前記管継手５として、伸縮継手構造（（株）ダンレイのメーターユニットに見られるスライド構造など）によって伸縮可能となされた一次側アダプタ５５を備えてなるものを用いている。その余の部材は、前記実施形態１において用いたものと同様である。
【００７４】
本実施形態に係る本発明構造１を構築するにあたっては、前記実施形態１及び前記実施形態２と同様にして、まず、前記エルボ継手２及び前記管継手５の位置決めを行い（図４（ａ）参照）、その後、連絡管３の長さ調整を行う（図４（ｂ）参照）。なお、前記連絡管３の長さ調整を行う際には、前記管継手５における一次側アダプタ５５は伸長させた状態とする。
【００７５】
次に、前記枝管１１に対する前記エルボ継手２の締結を緩めて仮止め状態とした後、前記連絡管３の一端を、前記エルボ継手２の口部に差し込み挿入することによって、前記連絡管３を前記エルボ継手２に接続する（図４（ｃ）参照）。
【００７６】
前記エルボ継手２と前記連絡管３との接続を終えた後、前記連絡管３の他端が前記管継手５に接続される。
【００７７】
本実施形態において、前記連絡管３と前記管継手５とを接続するにあたっては、図４（ｄ）に示すように、立ち上げ管４に前記管継手５を接続させた状態にて、前記管継手５における一次側アダプタ５５を縮める。
【００７８】
この状態で、前記管継手５における前記一次側アダプタ５５の口部に前記連絡管３の他端をあてがい、前記一次側アダプタ５５を伸長させれば、前記連絡管３の他端が前記一次側アダプタ５５に差し込み挿入されて、前記連絡管３が前記管継手５に接続される（図４（ｅ）参照）。
【００７９】
即ち、本実施形態における本発明構造１は、前記管継手５として、伸縮継手構造によって伸縮可能となされた一次側アダプタ５５を備えてなるものを用いているから、前記連絡管３の長さ調整の後、前記枝管１１から前記エルボ継手２を取り外したり、前記立ち上げ管４から前記管継手５を取り外したりする必要がなくなり、もって、本発明構造１の構築が更に容易になる利点を有する。
【００８０】
なお、本発明は、その精神または主要な特徴から逸脱することなく、他のいろいろな形で実施することができる。そのため、上述の実施形態はあらゆる点で単なる例示にすぎず、限定的に解釈してはならない。本発明の範囲は特許請求の範囲によって示すものであって、明細書本文には、なんら拘束されない。さらに、特許請求の範囲の均等範囲に属する変形や変更は、全て本発明の範囲内のものである。
【産業上の利用可能性】
【００８１】
本発明構造は、メーターボックス内などの配管が錯綜する状況下において、好適に利用することができる。
【符号の説明】
【００８２】
１  オフセット配管構造（本発明構造）
２  エルボ継手
２１  エルボ継手本体部
２２  一次側アダプタ（ユニオン接続式）
２３  二次側アダプタ（差込式）
３  連絡管
４  立ち上げ管
５  管継手
５１  継手本体部
５２  二次側アダプタ（回転ニップル式）
５３  一次側アダプタ（差込式）
５４  二次側アダプタ（ユニオン接続式）
５５  二次側アダプタ（伸縮継手構造）
１０  共用管
１１  枝管
２０  水道用メータ
Ｐ１  第一配管部
Ｐ２  第二配管部
Ｂ  曲げ部
【図１】
0005793408.tif 000002
【図２】
0005793408.tif 000003
【図３】
0005793408.tif 000004
【図４】
0005793408.tif 000005
【図５】
0005793408.tif 000006
【図６】
0005793408.tif 000007